(57)【要約】【課題】小型化しても十分な検煙領域と高いＳ／Ｎ比を有する火災感知器を提供する。【解決手段】蓋部１６とラビリンス部１７とプレート２３よりなる暗箱と、発光素子１８と受光素子５２が接続されている回路基板５０とを備え、暗箱内に流入してきた煙を検出することにより火災を感知する火災感知器１において、ラビリンス部１７は、所定の大きさの円を基本形とし、かつ、前記円の周外にその少なくとも一部が突出した形状に形成され、発光素子１８は、前記暗箱内において、その光軸が前記円を含む平面に対してほぼ平行に配置され、受光素子５２は、その光軸が、前 記円を含む平面に対してほぼ垂直で、かつ、発光素子１８の光軸と前記暗箱内でほぼ交差するように、暗箱外に設置されている。【選択図】図２
2006244515.tif 000002
【特許請求の範囲】
【請求項１】
暗箱と、発光素子と、受光素子とを備え、前記暗箱内に流入してきた煙により前記発光素子から発せられた光が散乱されたときの散乱光を、前記受光素子が受光することにより火災を感知する火災感知器において、
前記暗箱の壁部は、所定の大きさの円を基本形とし、かつ、前記円の周外にその少なくとも一部が突出した形状に形成され、前記発光素子は、前記暗箱の前記突出した形状の部分に配置され、前記受光素子は、その光軸が前記円を含む平面に対してほぼ垂直であるように、暗箱外に設置されていることを特徴とする火災感知器。
【請求項２】
前記受光素子の光軸は前記円のほぼ中心を通ることを特徴とする請求項１に記載の火災感知器。
【請求項３】
前記発光素子は、その光軸が、前記円を含む平面に対してほぼ平行で、かつ、前記受光素子の光軸と前記暗箱内でほぼ直交するように、配置されていることを特徴とする請求項１または２に記載の火災感知器。
【請求項４】
前記暗箱内部の前記受光素子に相対する面は滑らかに形成されていることを特徴とする請求項１から３のいずれか一項に記載の火災感知器。
【請求項５】
前記受光素子の前方には、前記散乱光以外の光を遮るように、前遮光部材が設けられ、
前記前遮光部材の内側には、前記受光素子側に向かうように形成された段が設けられていることを特徴とする請求項１から４のいずれか一項に記載の火災感知器。
【請求項６】
前記暗箱には、前記受光素子が散乱光を受光できるように、受光穴が形成され、前記前遮光部材は前記暗箱内の前記受光穴の周囲に設けられ、前記暗箱を形成する前記前遮光部材の周囲の面には、前記前遮光部材に向かって山型になるように、傾斜が形成されていることを特徴とする請求項５記載の火災感知器。
【発明の詳細な説明】
【技術分野】
【０００１】
この発明は、火災により発生する煙を検出して火災を感知する火災感知器に関する。
【背景技術】
【０００２】
従来、発光素子と受光素子を利用し火災により発生する煙を検出して火災を感知する煙方式の火災感知器は、たとえば、特許文献１にあるように、発光素子と受光素子をある程度角度をもって円盤状の１つの部材に取り付けることが多い。
【特許文献１】特開平８−１６６３４７号公報
【発明の開示】
【発明が解決しようとする課題】
【０００３】
しかしながら、上記構成の火災感知器を小型化しようとする場合、径方向を短くすることになり、それにより発光素子と受光素子との距離が短くなり、十分な検煙領域を確保することが困難であった。これに対し、特公昭５７−２２１５７号公報に開示されている煙感知器は、発光素子と受光素子の光軸が高さ方向にほぼ９０度をなす構造をとっている。この構造により、高さ方向、つまり感知器の厚さをある程度犠牲にしながら、径方向の小型化が可能となる。しかし、このような構造によって径方向の小型化を図る場合でも、検煙領域をなるべく多く確保することが求められる。
【０００４】
一方、感知器を小型化することにより、発光素子から、発光素子が収納されている暗箱の壁部等までの距離は必然的に短くなり、発光素子からの光が壁部等で反射して生じる反射光が十分に減衰しない。このような反射光は、ノイズ光として受光素子により受光されてしまい、Ｓ／Ｎ比が低下するといった問題が生じる。さらに、安定した性能を得るため、暗箱の組み付けにおいて、感知器各部の正確な位置決めを行わねばならない。しかし、感知器を小型化すると、暗箱の組み付けに関して、従来の火災感知器でよく使われているネジ止めなどの方法は余計なスペースを使うことが多く、場所的な制約から望ましくない。
【０００５】
この発明は、上記実状に鑑みてなされたもので、小型化しても十分な検煙領域を確保できる火災感知器を提供し、また、小型化しても高いＳ／Ｎ比で火災を感知できる火災感知器を提供することを目的としている。さらに、小型化しても、余計なスペースを使わないで暗箱を正確に組み付けることができる火災感知器を提供することを目的としている。
【課題を解決するための手段】
【０００６】
以下の記載中、括弧により実施の形態に対応する構成を一例として示す。実施の形態と同一の用語を使用している場合には、符号のみ記す。上記課題を解決するため、本発明の請求項１に記載の発明は、暗箱と、発光素子（１８）と受光素子（５２）とを備え、前記暗箱内に流入してきた煙により前記発光素子から発せられた光が散乱されたときの散乱光を、前記受光素子が受光することにより火災を感知する火災感知器（１）において、前記暗箱の壁部は、所定の大きさの円を基本形とし、かつ、前記円の周外にその少なくとも一部が突出した形状に形成され、前記発光素子は、前記暗箱の前記突出した形状の部分に配置され、前記受光素子は、その光軸が前記円を含む平面に対してほぼ垂直であるように、暗箱外に設置されていることを特徴とする。
【０００７】
請求項１に記載の発明によれば、発光素子と受光素子の光軸が縦方向に交差するように配置しているので、横方向において小型化できる。しかも、発光素子を突出した部分に配置したことから、たとえば、円形の暗箱を利用して縦方向に発光素子と受光素子を配置するような場合に比べて、受光素子の光軸に対して、発光素子の距離を確保することができ、その分、検煙領域を広く確保できる。したがって、小型で、広い検煙領域を有する火災感知器となる。
また、請求項１に記載の発明は、請求項２に記載の発明のように、前記受光素子の光軸が前記円のほぼ中心を通る構成としても良い。
【０００８】
請求項３に記載の発明は、請求項１または２に記載の火災感知器において、前記発光素子は、その光軸が、前記円を含む平面に対してほぼ平行で、かつ、前記受光素子の光軸と前記暗箱内でほぼ直交するように、配置されていることを特徴とする。
【０００９】
請求項１〜３のいずれかに記載の火災感知器において、前記発光素子と前記受光素子が接続されている回路基板を前記暗箱の裏側に設け、前記受光素子は前記回路基板上に面実装されている構成としても良い。
【００１０】
その場合、受光素子が面実装されることから、実装工程が簡単になり、しかも、回路基板の収容効率が向上する。
【００１１】
上述の回路基板は、前記暗箱の裏面に対して所定の間隔を空けて設けられており、前記暗箱の裏面と前記回路基板の間には、前記所定の間隔とほぼ等しい高さを有し、前記受光素子を囲む包囲部材（ノイズ光遮断部３０、ノイズ光遮断壁３１）が設けられている構成としても良い。
【００１２】
その場合、暗箱の裏面と回路基板の間には、前記所定の間隔とほぼ等しい高さを有し、受光素子を囲む包囲部材が設けられていることから、必要に応じて暗箱に形成される各種孔などから暗箱裏側に入る光や回路基板上の発光素子以外の光源からの光などによるノイズ光が、前記受光素子によって受光されることはなく、Ｓ／Ｎ比が向上し、高い検出精度が得られる。ここで、包囲部材の具体的な形状は特に限定されないが、たとえば、受光素子を囲むように円筒形状でもよいし、断面矩形状の枠でもよい。また、包囲部材は二重、三重に設けられていてもよい。
【００１３】
またその場合、包囲部材が暗箱に一体成形されていれば、遮光性はより一層上がり、益々高いＳ／Ｎ比が得られる。
【００１４】
さらに、上述の回路基板の前記暗箱側の面が黒くてもよく、これにより、回路基板そのものからの反射光等を極力避けることができ、これによってもＳ／Ｎ比が向上する。
【００１５】
また、また、暗箱に、前記発光素子からのリードを前記回路基板に接続するためのリード孔（２３ｂ）が設けられていても良い。
【００１６】
請求項１から３のいずれかに記載の火災感知器を天井面に設置する場合、暗箱内部の受光素子に相対する面が上を向くように設置されるが、請求項４に記載の発明のように、前記暗箱内部の前記受光素子に相対する面が滑らかに形成されていれば、エッジ等が形成される構造物が存在する場合に比べ、発光素子からの光の反射光の影響を、比較的軽減することができ、この点においても、Ｓ／Ｎ比が向上する。
【００１７】
また、請求項１〜４のいずれかに記載の火災感知器において、請求項５に記載の発明のように、前記受光素子の前方には、前記散乱光以外の光を遮るように、前遮光部材（遮光環状部２６）が設けられ、前記前遮光部材の内側には、前記受光素子側に向かうように形成された段が設けられていても良い。
【００１８】
請求項５に記載の発明によれば、前遮光部材によって、目的とする散乱光以外の光、特に暗箱壁部を形成するラビリンス部の内側の角部や端部による反射光が遮られるので、Ｓ／Ｎ比を向上させることができる。
ここで、前遮光部材の形状は特に限定されないが、円筒状や枠状が挙げられる。
【００１９】
さらに、請求項５に記載の発明は、前記前遮光部材の内側には、前記受光素子側に向かうように形成された段（段２６ａ）が設けられていることを特徴とする。
これにより、前遮光部材の縁部で生じる回折光等を、受光素子側に向かうように形成された一段低い段で反射させて、受光素子により受光されないように方向を変えることができることから、より一層高いＳ／Ｎ比が得られる。
【００２０】
請求項６に記載の発明は、請求項５記載の火災感知器において、前記暗箱には、前記受光素子が散乱光を受光できるように、受光穴（２７）が形成され、前記前遮光部材は前記暗箱内の前記受光穴の周囲に設けられ、前記暗箱を形成する前記前遮光部材の周囲の面には、前記前遮光部材に向かって山型になるように、傾斜（２３ｅ）が形成されていることを特徴とする。
【００２１】
請求項６記載の発明によれば、暗箱内に流入してきた煙は、前遮光部材に向かいつつ山型に形成された傾斜に沿って受光素子の前方に誘導されるので、受光素子の受光範囲に煙が集まりやすくなり、検出感度が向上する。
【００２２】
なお、請求項５又は６に記載の火災感知器にあっては、前記前遮光部材が前記暗箱に一体成形されている構成としても良い。その場合、組み立てが容易になる。
【００２３】
また、請求項１から６のいずれか一項に記載の火災感知器にあっては、前記発光素子から検煙領域までの間に、光を遮る複数の遮光板（第１の遮光板２５、第２の遮光板２０）が設けられ、前記複数の遮光板のうちの一つの遮光板（第２の遮光板２０）は、前記発光素子から発せられた光が前記受光素子の監視エリアとなる上記暗箱内面に当らないようにして設けられ、前記複数の遮光板のうちの別の一つの遮光板（第１の遮光板２５）は、前記発光素子から発せられ、前記一つの遮光板の端部により反射される光が前記受光素子に入ることがないように設けられている構成としても良い。
【００２４】
上記構成によれば、２つの遮光板を利用して、受光素子に向かう各種ノイズ光、たとえば、火災感知器内部の壁部からの反射光や、発光素子側にしぼりを設けた場合に発生する反射光・回折光等が受光素子によって受光されないよう阻止することができ、高いＳ／Ｎ比を有する火災感知器となる。ここで、発光素子と受光素子の位置関係や光軸の交差角度は特に限定されない。
【００２５】
また、上記構成において、前記一つの遮光板と前記別の一つの遮光板の内少なくとも一方の遮光板（２５、２０）には、その端部に、前記受光素子の方に向かうような段（下段２５ｂ）を設けても良い。
【００２６】
その場合、前記一つの遮光板と前記別の一つの遮光板の内少なくとも一方の遮光板の発光素子の光軸側の端部において回折光等が生じても、受光素子寄りの一段低い段で反射してしまい、受光素子に向かわないようにできることから、より一層高いＳ／Ｎ比が得られる。
【００２７】
また、前記２つの遮光板は、前記受光素子の受光範囲外に設けても良い。
【００２８】
その場合、２つの遮光板が受光素子の受光範囲外であれば、２つの遮光板によって検煙領域が狭められることもないし、また、２つの遮光板からの反射光や回折光なども受光素子によって入りにくくなる。
【００２９】
また、上記２つの遮光板を前記暗箱に一体成形する構成としても良い。
その場合、２つの遮光板が暗箱に一体成形されているので、暗箱を組み立てれば２つの遮光板は所望の位置に決められるので、製造が容易になる。ここで、受光素子は発光素子とともに暗箱内に設けられていてもよいし、暗箱に穴を形成しその穴を通じて散乱光を受光できるように暗箱外に設けられていてもよい。
【００３０】
また、請求項１から６のいずれか一項に記載の火災感知器にあっては、暗箱は、所定の大きさの円を基本形とし、かつ、前記円の周外にその少なくとも一部が突出した変形部を有する形状に形成された壁部（ラビリンス部１７）と、この壁部を上下方向から挟む蓋部（１６）とプレート（２３）とからなり、前記プレートと前記蓋部は前記壁部より大きな形状に形成され、前記プレートと前記蓋部のそれぞれの所定部を前記変形部に合わせた状態で、前記プレートと前記蓋部が固定されるように支持する支持部材（支柱２１、２１）が、前記壁部外に設けられている構成としても良い。
【００３１】
その場合、壁部外のスペースを利用して、支持部材によってプレートと蓋部を固定することで、暗箱全体が固定される。
【００３２】
またその場合、上述の蓋部とプレートの所定部を壁部の変形部に合わせて組み付けると、蓋部とプレートには壁部によって占められていない部位が生じる。この部位を利用して、前記支持部材が、前記プレートと前記蓋部の前記変形部に対応しない部分同士を固定するように構成してもよい。
そのようにすることで、プレートと蓋部の固定のためにわざわざスペースを確保することなく、十分な太さの支持部材を形成することができ、プレートと蓋部が容易に外れることがないよう、強固に勘合させることができる。さらに言えば、支持部材を角に配設すれば、支持部材そのものによって煙孔から流入した煙が他の煙孔から流出することを防ぎ、ラビリンス部への煙の流入をスムーズにするので、高い流入特性を得ることができる。
【００３３】
また、前記プレートの裏側には回路基板（５０）が設けられ、前記回路基板には、表示灯用に第２の発光素子（ＬＥＤ５３）が面実装され、前記第２の発光素子に対向する位置には、前記第２の発光素子から発光された光を外部に導く、棒状のレンズ（２４）が設けられている構成としても良い。
【００３４】
その場合、棒状のレンズを用いることにより、表示灯用の第２の発光素子は面実装でよいので、表示灯用の光源を実装する工程が簡単なものとなり、しかも、回路基板の収容効率が高くなる。
【００３５】
また、上述のレンズが、少なくとも、前記蓋部と前記プレートを貫いていてもよい。
その場合、レンズが前記支持部材と同様に機能するので、蓋部とプレートを介して暗箱全体がより一層強固に固定される。ここで、レンズは、暗箱がさらに筐体で被われているような場合、この筐体を貫くように構成してもよい。
【００３６】
また、請求項１から６のいずれか記載の火災感知器において、少なくとも前記暗箱を収容する筐体が上部ケース（２）と下部ケース（ベース３）とからなり、前記上部ケースと前記下部ケースのうちの一方には、これら２つのケース同士を固定する固定バネ（６）が取り付けられており、前記上部ケースと前記下部ケースのうちの他方には、前記固定バネを係止するバネ溝（８）が設けられている構成としても良い。
【００３７】
その場合、固定バネをバネ溝に填めることで、上部ケースと下部ケースとを容易にしっかりと固定できる。
【００３８】
また、請求項１から６のいずれか記載の火災感知器において、暗箱内部に虫が入らないように帯状の金属薄板からなる防虫網（１２）を備え、前記防虫網は、前記金属薄板の両側縁部（１２ａ）の所定の幅を除いた部分を、長さ方向に沿ってエッチングすることにより形成される構成としても良い。
【００３９】
その場合、防虫網の両側縁部の所定の幅のエリアはエッチング処理されないで残ることから、曲げ強度が高い防虫網となる。したがって、いびつな形状に容易に曲げることができ、どのような形状の火災感知器にも適用できる。
【発明の効果】
【００４０】
請求項１〜４に記載の発明によれば、発光素子と受光素子の光軸が縦方向に直交するように配置しているので、横方向において小型化できる。しかも、発光素子を暗箱壁部の突出した部分に配置したことから、たとえば、前記筐体に内接する大きさの円形の暗箱を利用して縦方向に発光素子と受光素子を配置するような場合、従来のものに比べて、受光素子の光軸に対して、発光素子の距離を確保することができ、その分、検煙領域を広く確保できる。したがって、小型で、広い検煙領域を有する火災感知器となる。
【００４１】
請求項４に記載の発明によれば、前記暗箱内部の前記受光素子に相対する面が滑らかに形成されていれば、発光素子からの光の反射光等の影響を、比較的軽減することができ、この点においても、Ｓ／Ｎ比が向上する。
【００４２】
請求項５又は６記載の発明によれば、前遮光部材によって、目的とする散乱光以外の光、特に暗箱壁部を形成するラビリンス部内側の角部や端部による反射光が遮られるので、Ｓ／Ｎ比を向上させることができる。
さらに、これらの発明によれば、前遮光部材の縁部で生じる回折光等を、受光素子側に向かうように形成された一段低い段で反射させて、受光素子により受光されないように方向を変えることができることから、より一層高いＳ／Ｎ比が得られる。
【００４３】
請求項６記載の発明によれば、暗箱内に流入してきた煙は、前遮光部材に向かいつつ山型に形成された傾斜に沿って受光素子の前方に誘導されるので、受光素子の受光範囲に煙が集まりやすくなり、検出感度が向上する。
【発明を実施するための最良の形態】
【００４４】
以下、この発明の実施の形態について、図面を参照しながら説明する。図１は本発明の火災感知器１の外観を示すもので、図１で示すように、火災感知器１の筐体は、上部ケース２とベース３とから構成される。この火災感知器１は、発光素子から発せられた光が火災により発生する煙により散乱されると、そのときの散乱光が受光素子により受光され、火災を感知するものである。火災感知器１は、図１（ａ）で図示した面を、床面に向けた状態で天井面に設置されるが、この実施の形態では、火災感知器を設置した際に、床面に近い方を上、天井面側を下として、説明する。
【００４５】
まず、上部ケース２の内部に収納される本体１０について説明する。図２（ａ）〜（ｃ）は、火災感知器１の内部を示すもので、（ｄ）は火災感知器１の上からの平面図である。図２（ａ）〜（ｃ）は（ｄ）に示す各部の断面図であり、（ａ）はＡ−Ａ線に、（ｂ）はＢ−Ｂ線に、（ｃ）はＣ−Ｃ線に、それぞれ沿った断面図である。なお、図２（ａ）〜（ｃ）は、ベース３が外された状態である。図３は本体１０の分解斜視図であり、本体１０は、煙流入部１１、防虫網１２、発光部１３、検出部１４、基板受け部１５とから構成される。
【００４６】
煙流入部１１は、蓋部１６とラビリンス部１７とからなり、黒色の樹脂によりその表面は滑らかに形成されている。蓋部１６は、略正方形状の平板であって、裏面の中央部１６ａは平坦にして滑らかに形成されている。蓋部１６の３つの角には、後述の支柱２１、２１が嵌合する孔部１６ｂ、１６ｂ、レンズ２４が貫通するレンズ孔部１６ｃが形成されている。また、蓋部１６の裏面には、発光素子１８のしぼり１９の一方を構成する平板状のしぼり部材１９ａと第２の遮光板２０が立設されている。これらしぼり部材１９ａと第２の遮蔽板２０については後述する。ラビリンス部１７は、図４に示すように、断面略Ｚ字状のＺ部材１７ａ、１７ａ…、発光素子１８の発光側以外の部分を囲む素子後部壁１７ｂとが、互いに隙間のある状態で立設されてなる。ラビリンス部１７の外周の形状は、正方形状の蓋部１６に内接した円を基本形とした形状であって、一部が、蓋部１６の角部に沿うように変形しており、一方に突出した略洋なし型の断面形状であり、中央部は空間となっている。このラビリンス部１７には、外部の煙は流入可能でありながら、外部からの光は入りこむことはできない。
【００４７】
上記ラビリンス部１７の周りは、虫よけのための防虫網１２により包囲されている。この防虫網１２は、金属の薄板にエッチング処理により微細な穴を網目状に多数形成してなるものである。本実施の形態における防虫網１２は、図３あるいは図５（ａ）で示すように、縁部は所定の幅分エッチング処理せず未処理部１２ａ、１２ａとして残してあり、この未処理部１２ａ、１２ａの幅は、図５（ｂ）で示す従来の火災感知器で用いられていた防虫網１００の未処理部１００ａ、１００ａより広くなっている。
【００４８】
発光部１３は、上下方向から見ると正方形状のプレート２３上に、発光素子１８、支柱２１、２１、レンズ用支柱２２等が設けられている。発光部１３は、全体としては、黒色の樹脂より形成される。本実施の形態では、すでに述べた蓋部１６、ラビリンス部１７およびプレート２３により暗箱が構成される。発光素子１８は、煙検出用の光源であり、そのリード線１８ａ、１８ａが回路基板５０の接続穴５１に通されて、回路基板５０に電気的に接続されるようになっている。この発光素子１８は、その光軸が暗箱をほぼ水平に横切るように、素子ホルダ２８に支持されたまま、前記素子後部壁１７ｂ内に収められる。発光素子１８の前には、前述のしぼり部材１９ａと対をなすしぼり部材１９ｂが設けられ、さらに、しぼり部材１９ｂの前には、第１の遮光板２５が設けられている。これらしぼり部材１９ａ、１９ｂ、第１の遮光板２５の具体的な構造等については後述する。
【００４９】
さらに、プレート２３の中央には、受光穴２７を有する遮光環状部２６が形成されている。図２に示すように、この受光穴２７の内部に受光素子５２が臨む。この遮光環状部２６は、図３で示すように平面視環状であり、図２に示すように内側に向かって一段低い段２６ａが形成されている。なお、遮光環状部２６は、第１の遮光板２５と一体成形されている。また、この遮光環状部２６の周りは、遮光環状部２６に向かって山型に徐々に高くなるように傾斜部２３ｅが形成されている。
【００５０】
支柱２１、２１は、プレート２３上に固定された板状の柱で、その先端が前記孔部１６ｂ、１６ｂに填め込まれるようになっている。レンズ用支柱２２は、プレート２３上に立設され、プレート２３を貫通する貫通孔６０を有するように略円筒形に形成されている。この貫通孔６０の中に、図２（ｂ）に示すように、棒状のレンズ２４が収められる。レンズ用支柱２２に収められたレンズ２４の下面は、プレート２３から突出し、回路基板５０のＬＥＤ５３の上方に位置するようになる。
【００５１】
図６には、プレート２３の裏面２３ｄを示す。図６中、符号２３ｂは前記リード線１８ａ、１８ａが通されるリード孔、３０はノイズ光遮断部、３１はノイズ光遮断壁である。ノイズ光遮断部３０は、前記受光穴２７と連通する、円筒状に形成された部材であり、受光素子５２がその内部に収められるようになる。ノイズ光遮断壁３１は、ノイズ光遮断部３０を囲むようにして、裏面２３ｄに対してノイズ光遮断部３０とほぼ同じ高さに形成された壁体である。回路基板５０を、受光素子５２がノイズ光遮断部３０内に収められるように裏面２３ｄに重ねると、ノイズ光遮断部３０とノイズ光遮断壁３１の上縁部全体が、回路基板５０に接するようになっている。したがって、受光素子５２は、ノイズ光遮断部３０とノイズ光遮断壁３１の両方によって２重に遮光される。なお、ノイズ光遮断壁３１内に形成されている円柱状の突起３２は、回路基板５２の丸穴５０ａに填め込まれ、回路基板５０の横方向の位置決めを行うものである。また、裏面２３ｄ上には、回路基板５０を固定するためのフック３４、３４、位置決めのためのピン３３，３３が形成されている。
【００５２】
検出部１４は、火災感知器１の火災検出を行うもので、回路基板５０とその上に実装された各部品よりなる。回路基板５０表面の中央には、受光素子５２が面実装されている。この受光素子５２は、前記受光穴２７から入ってくる光を受光するものである。受光素子５２を面実装したことにより、受光素子５２に入る電気的なノイズを軽減することができる。回路基板５０の１つの角には、ＬＥＤ（発光ダイオード）５３が面実装されている。このＬＥＤ５３の上方には、レンズ２４の下面がＬＥＤ５３に相対している。このレンズ２４は樹脂成形してなるものである。この火災感知器１では、作動中、ＬＥＤ５３が発光し、その光がレンズ２４により上方に導かれる。レンズ２４の上端部は、上部ケース２のレンズ穴５に填め込まれることから、レンズ２４の上端部が光ることで、火災感知器１が作動中であることが外部から確認されるようになっている。さらに、回路基板５０の下面から下方に向かって、剛直なピン状の接続ピン５６が４本設けられており、回路基板５０は、これら４つの接続ピン５６を介して、外部と電気的に接続されるようになっている。なお、図３では、各接続ピン５６の頭部のみ示している。
【００５３】
回路基板５０の受光素子が実装された表面の多くの部分（図３中点々を付している部分）は、塗料あるいはレジストにより、黒く塗られている。なお、回路基板５０上には、プレート裏面２３ｄのピン３３、３３が填め込まれるピン穴５５、５５と、フック３４、３４が填め込まれるフック穴５４、５４が形成されている。
【００５４】
上記の煙流入部１１とプレート２３は、プレート２３と蓋部１６を向かい合わせて、支柱２１、２１を蓋部１６の孔部１６ｂ、１６ｂに、レンズ２４をレンズ孔部１６ｃにはめ合わせることによって、一体に組み立てられる。このとき、前記素子後部壁１７ｂ内に発光素子１８が収められるとともに、しぼり部材１９ａ、１９ｂが上下に対向し、しぼり１９（図７参照）が形成され、第１の遮光板２５と第２の遮光板２０も所定の位置関係になる。この状態のプレート２３の裏面２３ｄに対して回路基板５０を重ね、突起３２、ピン３３、３３、フック３４、３４を利用し固定する。これにより、発光素子１８、受光素子５２、第１の遮光板２５、第２の遮光板２０等が所定の位置関係を有した状態で組み立てられる。
【００５５】
次に、第１の遮光板２５、第２の遮光板２０の具体的な構造と、発光素子１８と受光素子５２をも含めた光学的な関係について説明する。図４に示すように、発光素子１８は、煙流入部１１内部において、その光軸が暗箱をほぼ水平に横切るように、突出した部分に配置される。一方、受光素子５２は、図２（ｃ）に示すように、前記暗箱外の回路基板５０上に実装され、その光軸が、発光素子１８の光軸と煙流入部１１内でほぼ直交するように設けられている。
【００５６】
ところで、全体として小型の火災感知器とすると、一般的に発光素子からの光による暗箱内部での反射光が十分に減衰しないため、ノイズ光が増加し、Ｓ／Ｎ比が低くなる。上記のように、発光素子と受光素子をそれらの光軸同士が鉛直方向に直交するような構造とした場合に、暗箱内で生じる各種ノイズ光を図７（ａ）に例示した。図７（ａ）では、発光素子２００から発せられた光は、しぼり部材２０２、２０３の間に形成される円形のしぼり２０７を通って暗箱内に広がる。しぼり２０７を設けることで発光素子２００の中心から発せられる比較的強い光（一点破線）のみを通すようにしているが、周囲に漏れる弱い光（たとえば、Ｇ）を防ぎきることはできず、受光素子２０１の監視エリア（Ｋ）内である暗箱の天井面に当たってしまい、受光されてノイズとなる。また、しぼり部材２０２の端部Ａからの反射光（Ｃ）や、しぼり部材２０３の端部Ｂからの回折光（Ｄ）が、受光素子２０１に受光されてしまいノイズとなることもある。
【００５７】
しかし、本発明の火災感知器１では、図７（ｂ）に示すような構造により、上記ノイズが生じないよう構成となっている。なお、図７（ｂ）では、遮光環状部２６については、簡略化している。火災感知器１では、しぼり１９の前に、略平板状の第１の遮光板２５と第２の遮光板２０のそれぞれが、発光素子１８の光軸を挟むように、発光素子１８と検煙領域との間に所定の間隔を置いて配設されている。第１の遮光板２５は前記光軸を挟んで受光素子５２側にあり、光軸に沿った方向においても第２の遮光板２０より受光素子５２に近い位置に設けられている。また、第１の遮光板２５の上端部には、受光素子側に向かって段が形成され、上段２５ａ、下段２５ｂとなっている。ここで、第１の遮光板２５および第２の遮光板２０のエッジは、いずれも、受光素子５２の視野角の境界（直線Ｌ）から外れたところに位置する。この場合、受光素子５２側から見ると、第２の遮光板２０の端部Ｃが第１の遮光板２５の背後に隠れるようになっている。また、第１の遮光板２５はプレート２３に、第２の遮光板２０は蓋部１６に、それぞれ一体成形されている。
【００５８】
このような構造をとることにより、たとえば、発光素子１８から発せられる前記のような弱い光の照射範囲は、第２の遮光板２０の端部Ｇにより規定されているので、図７（ａ）とは異なり、受光素子５２の監視エリアＩに当たることなく、ノイズにはならない。また、発光素子１８からの前記弱い光が受光素子５２に向かった場合、第１の遮光板２５において遮光され、受光素子５２には受光されない。さらに、端部Ｇにおける反射光が下方に向かった場合、第１の遮光板２５で遮光され、受光素子５２には向かわない。さらに、第１の遮光板２５の上段２５ａで生じる回折光は、下段２５ｂで遮光され、受光素子５２により受光されない。すなわち、図７（ｂ）のような構成により、天井面における反射光も、第２の遮光板２０から受光素子５２に向かう光も、さらに第１遮光板２５から受光素子５２に向かう光のいずれも、結局は、受光素子５２に受光される範囲から外れてしまうのである。上記のように、この発明においては、発光素子１８および受光素子５２の両光軸を含む暗箱の垂直方向に対しては、しぼり１９の存在はそれほど重要ではない。
【００５９】
基板受け部１５は、回路基板５０を収める箱体である。この基板受け部１５には前記接続ピン５６…が差し込まれる接続ピン穴１５ａが４つ形成され、下面からはベース３に固定するための突出部１５ｂが形成されている（図２参照）。
【００６０】
次に、筐体となる上部ケース２とベース３について説明する。上部ケース２は、下方が開放された箱体であり、内部に前記本体１０を収納するものである。図１に示すように、４つの側面の上部には、煙が流入するための煙孔４、４、４が３つずつ形成されている。この煙孔４、４、４からは、暗箱を被う防虫網１２と蓋部１６が覗いている。また、上面には、レンズ柱２４が臨むレンズ穴５が設けられている。また、上部ケース２の上面には、後述する固定バネ６の脱落を防止するために、互いに平行する２列の凸部７，７間に形成されるバネ溝８が設けられている。この上部ケース２は、ネジ９によって、上部ケース２内の基板受け部１５と固定されるようになっている。
【００６１】
ベース３は、基板受け部１５を介して、本体１０を支持するものである。ベース３には基板受け部１５の突出部１５ａを填め込むことができる図示しないベース穴と、基板受け部１５の接続ピン穴１５ｂ、１５ｂ、１５ｂ、１５ｂから突出する４つの接続ピン５６が嵌入できるピン嵌入部（図示せず）が形成されている。さらに、ベース３の側面には、外部回路と接続するための外部用端子３ａ、３ａ…が設けられている。また、ベース３には、上部ケース２に固定される際に用いる固定バネ６が取り付けられている。固定バネ６は取付部６ａ、６ａを軸にして回転可能となっている。
【００６２】
そして本体１０を上部ケース２で被い、ネジ９で上部ケースと基板受け部１５を固定する。この状態で、ベース３の前記ベース穴に基板受け部１５の突出部１５ａを填め込みながら、接続ピン５６…を前記ピン嵌入部に嵌入させる。最後に、固定バネ６を上部ケース２の前記バネ溝８に掛けると、上部ケース２とベース３が内部の本体１０ごと固定される。また、上記のように本体１０をベース３に固定することによって、回路基板５０の接続ピン５６…とベース３の外部用端子３ａ、３ａ…が電気的に接続されるようになっている。
【００６３】
以上の火災感知器１によれば、発光素子１８を暗箱壁部の突出した部分に配置したことにより、単なる円形の暗箱を利用して鉛直方向に発光素子と受光素子を配置するような場合に比べて、受光素子の光軸に対して、発光素子の距離を確保することができ、その分、検煙領域が広く確保できる。つまり、火災感知器１は、発光素子と受光素子の光軸が鉛直方向に直交するように配置された小型の円形火災感知器を想定した場合、この火災感知器により形成される円を納めることのできる正方形の角部に、発光素子が配置された突出部分を位置させれば、ほとんど大きさを変えずにより広い検煙領域を確保できるということになる。したがって、小型でありながら、広い検煙領域を有する火災感知器となる。
【００６４】
また、本発明の火災感知器を小型にした場合、反射光が減衰しないことによるノイズが懸念されるが、火災感知器１では、発光素子１８の前方に、第２の遮光板２０、そのさらに前に上部に段差を有する第１の遮光板２５を設けたことにより、天井面における反射光も、第２の遮光板から受光素子に向かう光も、さらに第１の遮光板から回折し受光素子に向かう光のいずれも、結局は、受光素子５２に受光される範囲から外れてしまい、ノイズ光とはならない。したがって、小型な火災感知器であっても、高いＳ／Ｎ比を有することになる。しかも、第１の遮光板２５、第２の遮光板２０はいずれも一体成形により形成されていることから、組み立て時に、蓋部１６とプレートとを固定すればそれにより、第１の遮光板２５、第２の遮光板２０が所望の位置に決められるので、組み立てが容易になる。
【００６５】
また、従来、受光素子が暗箱外に設置される火災感知器では、受光素子に散乱光を受光させるための穴が設けられるが、この穴を通してノイズ光が入ってしまい、これによってＳ／Ｎ比が低下することがあった。また、発光素子と受光素子の光軸が直交する場合、受光素子の近傍には検出できないエリアが生じ、暗箱内に煙が侵入しても検出せず、失報を引き起こす可能性があった。しかし、火災感知器１では、プレート２３に単に受光のための穴を形成したのではなく、受光穴２７を囲むように遮光環状部２６を設けたのでラビリンス部１７の内側の角部や端部による反射光等のノイズ光が、受光素子５２にはいりにくい。また、遮光環状部２６に段２６ａを形成したので、遮光環状部２６の外側のエッジで発生する回折光をこの段２６ａで反射させて、受光素子５２側に向かわないようにできる。よって、Ｓ／Ｎ比を向上させることができる。また、傾斜部２３ｅにより、反射光を軽減することが可能であるとともに、煙流入部１１内に流入した煙を受光素子５２の上方の検煙領域に誘導することができるので（天井に設置した場合下方に煙を誘導）、検出感度が向上する。
【００６６】
また、上記火災感知器のように、暗箱の外に受光素子および回路基板が設けられ、発光素子１８のリード線１８ａを回路基板５０に接続するためにリード孔２３ｂを設けている構造であると、リード孔２３ｂからプレートの裏面側に漏れる光がノイズ光となってしまう可能性がある。しかし、火災感知器１では、プレート裏面２３ｄにノイズ光遮断部３０、ノイズ光遮断壁３１が設けられ、それらの上縁部全体が回路基板５０の面に接するようになっていることから、受光素子５２は２重に囲まれて遮光され、ノイズ光を受けないようになっている。したがって、この点においても、Ｓ／Ｎ比が向上し、高い検出精度が得られる。しかも、これらノイズ光遮断部３０、ノイズ光遮断壁３１は、プレート２３と一体成形されることから、遮光性はより一層高いものとなる。また、ノイズ光遮断部３０、ノイズ光遮断壁３１の上縁部全体が回路基板５０の面に接するということは、組み立て時において、回路基板５０のプレート２３に対する高さ方向が位置決めされることになり、組み立てが容易になる。
【００６７】
加えて、火災感知器１は、プレート２３が黒色の樹脂からなり、また、回路基板５０の表面が黒色であることから、受光素子５２の周辺は完全に暗室となり、これによっても、Ｓ／Ｎ比が向上する。
【００６８】
また、火災感知器１は上下方向から見ると正方形状であり、かつ、煙流入部１１のラビリンス部１７を前記のような洋なし型に形成したことから、ラビリンス部１７の周りの３つの角部を利用し、この３カ所にプレート２３と蓋部１６とを互いに固定する支柱２１、２１、およびレンズ用支柱２２を配設し、暗箱を組み立てるようにしている。つまり、プレート２３と蓋部１６の固定のためにわざわざスペースを確保することなく、十分な太さの支柱２１等を形成することができ、プレート２３と蓋部１６が容易に外れることがないよう、強固に勘合させることができる。さらに言えば、支柱２１、２１、レンズ用支柱２２は、角に配設され、支柱そのものによって煙孔４から流入した煙が他の煙孔４から流出することを防ぎ、ラビリンス部１７への煙の流入をスムーズにするので、高い流入特性を得ることができる。なお、本発明では、プレートに孔部を設け、蓋部に支柱を設けるようにしてもよい。
【００６９】
また、従来の火災感知器では、Ｓ／Ｎ比の向上のため、受光素子に相対する暗箱裏面の監視エリアに何らかの構造物を配置し、反射光を低減させるよう工夫していた。しかし、これらの構造物を置くと、発光素子と受光素子との位置関係によって、その端部が反射面となって、かえって反射光が増加し、Ｓ／Ｎ比の低下を招いたり、誤報の原因となってしまうことがあった。しかし、本実施の形態では、煙流入部１１の蓋部１６裏面の中央部１６ａを滑らか（平面でも球面でも形状は問わない）にしたことにより、反射光の影響を軽減することができ、この点においても、Ｓ／Ｎ比が向上する。
【００７０】
ところで、従来、火災感知器の表示灯は、リード線が付いたＬＥＤを利用することが多かった。このようなＬＥＤでは、リード線に絶縁チューブを装着したり、また、構造的にＬＥＤ周りに隙間が生じることもあり、その隙間に虫や埃が侵入し、誤報の原因になったりした。しかし、本発明の火災感知器１の表示灯は、棒状のレンズ２４を利用し、ＬＥＤ５３を面実装した。よって、ＬＥＤを実装するための工程が簡略化され基板の収容効率が高くなる。また、ＬＥＤを設けるための隙間など生じないことから、感知器の信頼性が高くなる。なお、このレンズ２４は、図２（ｃ）に示すように、上部ケース２、蓋部１６、プレート２３を貫いているために、これらの組み立てや位置決めが容易になる。
【００７１】
上記で示したように、本実施の形態のラビリンス部１７は図４で示したように略洋なし型の特殊な形状である。図５（ｂ）に示すような従来の防虫網を、そのままこのような形状のラビリンス部に填め込もうとすると、曲げ強度が低いため、防虫網がゆがんだり取り付けにくいといった事態が生じ得る。しかし、本実施の形態では、図５（ａ）に示すように、防虫網１２について、エッチング処理幅を狭くし、未処理部１２ａ、１２aの幅を太くしたことで、曲げ強度が向上したことから、ゆがんだりせずに容易に曲げることができ、特殊な形状のラビリンス部１７の周りにも填めやすい。
【００７２】
さらに、火災感知器１では、ベース３の固定バネ６を上部ケース３上のバネ溝８に掛けて固定している。従来、火災感知器１のような立方体状の火災感知器において、固定バネ６で全体を固定することは知られてはいたものの、固定バネを係止する構成はなかったので、固定バネが外れ、ベースから本体が脱落する可能性があった。しかし、火災感知器１では、固定バネ６がバネ溝８において係止されているので、固定バネ６は容易に外れることはない。したがって、ベース３から上部ケース２や本体１０が脱落してしまうことはなくなる。
【００７３】
なお、本発明は上記実施の形態に限らず、たとえば、ラビリンス部をプレート側に設けてもよい。また、発光素子が設けられる部分の暗箱の形状は、上記の略なし型のように円形からなだらかに突出するものに限らず、円形の暗箱に矩形状あるいは枠状に突出するような形状に形成してもよい。さらに、上記では、第１の遮光板２５に段が設けられていたが、第２の遮光板２０に段が設けられていてもよいし、あるいは、両方に設けられていてもよい。第２の遮光板２０の端部に段が設けられていれば、第２の遮光板２０端部からの回折光が検煙領域の天井部に当たることを防ぐことができる。さらに、本発明においては、受光素子を暗箱の中心に配置した。すなわち、中心に配置することにより、暗箱の内壁から一番離れた位置に受光素子があるので、内壁からの反射光の影響を最も少なくすることができ、ひいては、Ｓ／Ｎ比の向上に寄与する。さらに、ここで発光素子の光軸が受光素子の光軸と交差する位置に発光素子を配置することにより、広い検煙領域を確保でき、かつ、Ｓ／Ｎ比を向上させた火災感知器が提供される。
【図面の簡単な説明】
【００７４】
【図１】本発明の一例としての火災感知器の外観を示すもので、（ａ）は平面図、（ｂ）は正面図、（ｃ）は側面図である。
【図２】図１の火災感知器内部を説明するための図であり、（ｄ）は火災感知器１の上から見た平面図であり、（ａ）は（ｄ）におけるＡ−Ａ線に沿った断面図、（ｂ）は（ｄ）におけるＢ−Ｂ線に沿った断面図、（ｃ）は（ｄ）におけるＣ−Ｃ線に沿った断面図である。
【図３】図１の火災感知器の本体の構成の概略を示す分解斜視図である。
【図４】図２（ｃ）におけるＤ−Ｄ線に沿った断面図である。
【図５】本発明の防虫網を説明するための図であり、（ａ）は本発明の防虫網の一部を示し、（ｂ）は従来の防虫網の一部を示すものである。
【図６】図２または図３におけるプレートの裏側を示す斜視図である。
【図７】図１の火災感知器における第１の遮光板および第２の遮光板について説明するもので、（ａ）は遮光板がない場合を示すもので、（ｂ）は遮光板が設けられている場合を示している。
【符号の説明】
【００７５】
１火災感知器
２上部ケース
３ベース（下部ケース）
５レンズ穴
６固定バネ
８バネ溝
１０本体
１１煙流入部
１２防虫網
１２ａ、１２ａ未処理部
１３発光部
１４検出部
１５基板受け部
１６蓋部
１６ａ中央部
１６ｂ、１６ｂ孔部
１６ｃレンズ孔部
１７ラビリンス部（壁部）
１８発光素子
１８ａリード線
１９しぼり（発光側しぼり）
２０第２の遮光板
２１、２１支柱（支持部材）
２２レンズ用支柱
２３プレート
２３ｂリード孔
２３ｅ傾斜部
２４レンズ
２５第１の遮光板
２５ａ上段
２５ｂ下段（段）
２６遮光環状部（前遮光部材）
２６ａ段（段）
２７受光穴
３０ノイズ光遮断部（包囲部材）
３１ノイズ光遮断壁（包囲部材）
５０回路基板
５１接続穴
５２受光素子
５３ＬＥＤ（第２の発光素子）
【図１】
2006244515.tif 000003
【図２】
2006244515.tif 000004
【図３】
2006244515.tif 000005
【図４】
2006244515.tif 000006
【図５】
2006244515.tif 000007
【図６】
2006244515.tif 000008
【図７】
2006244515.tif 000009